(57)【要約】【課題】  本発明は、取り付けコストが安価で、かつ容易に取り付けられ、しかもバールでのドア破りの初期段階で警報を報知できるためドア、ドア枠、錠装置等の破壊を未然に食い止めることが出来るバールでのドア破り用警報装置を提供することを目的とするものである。【解決手段】  本発明は、バールでのドア破り用警報装置であり、ドア枠に回動部材で回動自在に連結されたドア回動部近傍内側に取り付けられると共に、ドア枠内框部に対向してほぼ当接状態の間隔で設置され、ドアのスライド揺動をドア枠内框部との接触で感知する感知スイッチと、感知スイッチのＯＮにより警報音を鳴動するブザーと、を備えてなることを特徴とする。【選択図】              図１
0003109392.tif 000002
【実用新案登録請求の範囲】
【請求項１】
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
前記感知スイッチのＯＮにより警報音を鳴動するブザーと、
を備えてなることを特徴とするバールでのドア破り用警報装置。
【請求項２】
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
室内側に設けられた非常用スイッチと、
前記感知スイッチあるいは非常用スイッチのＯＮにより警報音を鳴動するブザーと、
を備えてなることを特徴とするバールでのドア破り用警報装置。
【請求項３】
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
室内側に設けられた非常用スイッチと、
前記感知スイッチあるいは非常用スイッチのＯＮにより警報音を鳴動するブザーと、
を備えてなり、
前記ドア枠内框部と、該ドア枠内框部に対向してほぼ当接状態の間隔で設置される感知スイッチとの間には、前記ほぼ当接状態の間隔を保持する間隔保持シートが介在されてなる、
ことを特徴とするバールでのドア破り用警報装置。
【請求項４】
前記ブザーの鳴動を停止させる停止スイッチが設けられてなる、
ことを特徴とする請求項１、請求項２または請求項３記載のバールでのドア破り用警報装置。
【請求項５】
ドアの内側に取り付けられ、ドアのスライド揺動を検知するドア内側から突出して設けられた検知部を有するドアスライド検知部材と、
前記検知部からの検知揺動を接触感知する感知スイッチと、
前記感知スイッチのＯＮにより警報音を鳴動するブザーと、
ブザーの鳴動を停止させる停止スイッチと、
を備えてなることを特徴とするバールでのドア破り用警報装置。
【考案の詳細な説明】
【技術分野】
【０００１】
本考案は、マンション等のドアをバールなどの道具を用い、こじ開けて室内へ侵入する際の警報を報知するバールでのドア破り侵入用警報装置に関するものである。
【背景技術】
【０００２】
従来、マンション等のドアをあけて侵入する方法としては、ピッキング、サムターン回し及びバールでのドア破りなどがある。
特に、バールでのドア破りは、バールでドアをこじ開けたり、暴力的に破壊して侵入するもので、ドア、ドア枠、錠装置等が破壊され、侵入された後はドア、ドア枠、錠装置等を交換しなければならず、たとえ前記の侵入が未遂に終わったとしても前記ドア、ドア枠、錠装置等の破壊の損害は甚大なものであった。
【０００３】
従来は特開２００４−２５１０８１号公開公報に示されるように、バールによる不法侵入を防止する防犯金具は提案されているが、バールによるドアのこじ開け自体を未然に防止する警報装置は提案されてはいなかった。
【特許文献１】特開２００４−２５１０８１号公開公報
【考案の開示】
【考案が解決しようとする課題】
【０００４】
かくして、本考案は、上記従来の課題に鑑みて案出されたものであり、取り付けコストが安価で、かつ容易に取り付けられ、しかもバールでのドア破りの初期段階で警報を報知できるためドア、ドア枠、錠装置等の破壊を未然に食い止めることが出来るバールでのドア破り用警報装置を提供することを目的とするものである。
【課題を解決するための手段】
【０００５】
本考案によるバールでのドア破り用警報装置は、
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
前記感知スイッチのＯＮにより警報音を鳴動するブザーと、
を備えてなることを特徴とし、
または、
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
室内側に設けられた非常用スイッチと、
前記感知スイッチあるいは非常用スイッチのＯＮにより警報音を鳴動するブザーと、
を備えてなることを特徴とし、
または、
ドア枠に回動部材で回動自在に連結されたドア回動部近傍内側に取り付けられると共に、前記ドア枠内框部に対向してほぼ当接状態の間隔で設置され、ドアのスライド揺動をドア枠内框部との接触で感知する感知スイッチと、
室内側に設けられた非常用スイッチと、
前記感知スイッチあるいは非常用スイッチのＯＮにより警報音を鳴動するブザーと、
を備えてなり、
前記ドア枠内框部と、該ドア枠内框部に対向してほぼ当接状態の間隔で設置される感知スイッチとの間には、前記ほぼ当接状態の間隔を保持する間隔保持シートが介在されてなる、
ことを特徴とし、
または、
前記ブザーの鳴動を停止させる停止スイッチが設けられてなる、
ことを特徴とし、
または、
ドアの内側に取り付けられ、ドアのスライド揺動を検知するドア内側から突出して設けられた検知部を有するドアスライド検知部材と、
前記検知部からの検知揺動を接触感知する感知スイッチと、
前記感知スイッチのＯＮにより警報音を鳴動するブザーと、
ブザーの鳴動を停止させる停止スイッチと、
を備えてなることを特徴とするものである。
【考案の効果】
【０００６】
本考案によれば、取り付けコストが安価で、かつ容易に取り付けられ、しかもバールでのドア破りの初期段階で警報を報知できるためドア、ドア枠、錠装置等の破壊を未然に食い止めることが出来るとの優れた効果を奏する。
【考案を実施するための最良の形態】
【０００７】
以下、図に基づいて本考案に係る実施の態様につき説明する。
【０００８】
ドア１はドア枠９内に納められ、図１においてドア１の左端が丁番等の回動部材１９で連結されていると共に、外開き可能に回動出来るよう構成されている。
【０００９】
そして、図１に示す実施例において警報装置本体５はドア１の回動部材１９との連結側近傍位置の内側に取り付けられている。
また、ドア枠９の内框部２０に対向して、ほぼ当接状態の間隔、すなわち、きわめて狭小な間隔をもって感知スイッチ８が前記内框部２０に向かって突出するような状態で設けられている。
【００１０】
また前記警報装置本体５の室内側、すなわちドア１の内側には非常用スイッチ２３が設けられており、該非常用スイッチ２３を室内側からその住人が押圧することによっても後述するブザー１４が鳴動する様構成されている。  
しかして、この警報装置本体５の内部構成につき図２を参照して説明すると、該警報装置本体５には前記の感知スイッチ８及び非常用スイッチ２３が設けられていると共に、リレー１２、リレー接点１３、１３、警報音を報知するブザー１４、電池などの電源２１、警報音の鳴動を停止させる停止スイッチ１５などを備えて構成されている。
【００１１】
ここで、例えば、図１に示すようにドア１とドア枠９との隙間にバール１０等を差し込み、ドア１のドア錠１１を外そうとすると、前記ドア１が矢印３０の方向へスライド揺動し、その結果感知スイッチ８がドア枠９の内框部２０に当接し押圧される。
【００１２】
前記の感知スイッチ８が押圧されると、リレー１２が作動し、各リレー接点１３、１３がＯＮとなる。
【００１３】
すると、ブザー１４が警報音を鳴動し、まさにドア１がこじ開けられようとしている状態を報知する。
【００１４】
そして、この警報音により侵入者はドア１のこじ開け作業を断念せざるを得なくなる。
【００１５】
このように本考案の装置は、まさにドア１、ドア枠及びドア錠１１が破壊されようとする直前に大きな警報音が鳴動する。従って、侵入者は前記ドア１、ドア枠及びドア錠１１を破壊せずに逃走せざるを得ないこととなる。
【００１６】
しかして、この効果は大きく、例えば、ダブルロックにして時間がかかりすぎるため途中で侵入を断念した場合でもドア１、ドア枠及びドア錠１１は既に破壊されていることが多く、その交換の費用は甚大なものとなる。しかるに本考案の装置であれば、まさにドア１、ドア枠及びドア錠１１が破壊されようとする直前に大きな警報音を発するためドア１、ドア枠及びドア錠１１の破壊を免れられ、甚大な交換費用さえも発生しない。
【００１７】
尚、前記非常スイッチ２３の使用状況としては、部屋の住人が在室中のときに、外部よりドア１をピッキング解錠やサムターン回し解錠などで不正に解錠しようとしたときなど威嚇や警報のために使用することが考えられる。
【００１８】
すなわち、この非常用スイッチ２３の使用は女性の一人暮らしにきわめて有効な装置となる。さらに、バールを用いた解錠動作の初期の段階で不審に感じた場合において、当該非常用スイッチ２３を押圧して警報音を鳴動させ、ドア１の破壊を阻止することが出来る。
【００１９】
尚、図１１は間隔保持シート２４を使用した状態を示したもので、警報装置本体５のドア１室内側への正確な取り付けを容易にさせるものとなる。
【００２０】
すなわち、該警報装置本体５の感知スイッチ８が突設されている面に前記間隔保持シート２４は添着される。しかして、該間隔保持シート２４の厚みは前記感知スイッチ８の突出幅より約１ミリメートルほど厚くしておく。すると、前記の厚みの間隔保持シート２４を添着すると感知スイッチ８の先端は前記添着された間隔保持シート２４の表面より約１ミリメートル奥まった位置に配置される。
【００２１】
しかして、前記間隔保持シート２４については前記感知スイッチ８の対応部分につき略円状にくり抜いておくものとする。
【００２２】
この間隔保持シート２４を貼った状態の警報装置本体５をドア枠９の内框部２０の表面に前記間隔保持シート２４の表面を当接状態にして取り付けるのである。
【００２３】
そして、その後、間隔保持シート２４を剥がせば内框部２０から約１ミリメートルの間隔をもって感知スイッチ８を設置することが恒常的に可能となり、熟練した技術を必要とせず本考案の警報装置を正確に設置できるとの優れた効果を奏するものとなる。
【００２４】
ここで、感知スイッチ８としては０．５ミリメートルの沈みで作動するものを使用するため、ドア１がバールで約１．５ミリメートルほどスライド揺動すれば確実にブザー１４が鳴動する。
【００２５】
次に、図３に本考案の他の実施例を示す。
【００２６】
図３から理解されるように、ドア１はドア枠９内に納められ、図３においてドア１の左端が丁番等の回動部材１９で連結されていると共に、外開き可能に回動出来るよう構成されている。
【００２７】
そして、図３に示す実施例において警報装置本体５はドア枠９の回動部材１９との連結側の内框部２０に取り付けられている。
【００２８】
さらに、ドア１の前記回動部材１９との連結側の内側部分に取付部３と検知部４とにより略Ｌ字状をなすドアスライド検知部材２が取り付けられている。
【００２９】
そして、前記警報装置本体５には前記ドアスライド検知部材２の突出した検知部４を収納出来るよう切り欠かれた切欠部６が前記ドア１の内側面と対向するように設けられている。
【００３０】
さらに、この切欠部６の側壁７には前記ドアスライド検知部材２の検知部４に対向し、かつほぼ当接状態の間隔をもって感知スイッチ８が設けられている。
【００３１】
よって、例えばドア１とドア枠９の隙間からバール１０などを差し込んでドア錠１１を外そうとすると、ドア１が矢印３０方向に揺動すると共に、前記検知部４が矢印３０方向に揺動する。
【００３２】
すると、検知部４がほぼ当接状態にある感知スイッチ８を押圧することとなる。
そして、感知スイッチ８が作動してブザー１４が鳴動することになるのである。
【００３３】
感知スイッチ８が検知部４により押圧されると、リレー１２が作動し、リレー接点１３がＯＮとなる。
【００３４】
これによりブザー１４が鳴動し、前記バール１０などでドア１をこじ開けようとする侵入者はその鳴動音によりドア１のこじ開け作業を中断せざるを得なくなるのである。
【００３５】
ここで、前記ブザー１４の鳴動を停止する場合には、停止スイッチ１５を押圧すればよい。
【００３６】
前述のように、図３に示す実施例で警報装置本体５は、ドア１のいわゆる基端側に位置するドア枠９に取り付けられている。
【００３７】
そして、該警報装置本体５には前記ドアスライド検知部材２の突出した検知部４を収納出来るよう切り欠かれた切欠部６が前記ドア１の内側面と対向するように設けられている。さらに、この切欠部６の側壁７には前記ドアスライド検知部材２の検知部４に対向し、かつほぼ当接状態の間隔をもって感知スイッチ８が設けられている。
【００３８】
従って、この実施例の構成であれば、警報装置本体５の切欠部６内に設けられた感知スイッチ８を誤って押圧するおそれがほとんどない。
【００３９】
さらに、本考案の他の実施例につき説明する。
【００４０】
図４及び図５から理解されるように、この実施例ではドア１のいわゆる基端側に位置するドア枠９の内框部２０に警報装置本体５が取り付けられている。
【００４１】
そして、該警報装置本体５には２つの感知スイッチ８、１８が設けられている。すなわち、図４及び図５に示すように、ドア１の内側面に対向する位置に感知スイッチ８が、対向するドア枠９側に向かう位置に感知スイッチ１８が設けられている。
【００４２】
尚、この警報装置本体５に対向するドア１の内側面には前記感知スイッチ８に対向して凸状の押圧部１６を有したドアスライド検知部材２の取付部３が取り付けられている。
【００４３】
さらに、この取付部３の一端からは略直角に突出する検知部４が設けられてドアスライド検知部材２が構成され、該検知部４には前記感知スイッチ１８に対向する凸状の押圧部１７が形成されている。
【００４４】
しかして、通常にドア１が閉扉されると、前記取付部３に設けられた押圧部１６が感知スイッチ８を押圧してＯＮにする。しかし、感知スイッチ１８はＯＮとされていないため、リレーは作動せず、図６に示すブザー１４は鳴動しない。
【００４５】
そして、図５のようにドア１が閉扉された状態で、例えばドア１とドア枠９の隙間からバール１０などを差し込んでドア錠１１を外そうとすると、ドア１が矢印３０方向に揺動すると共に、前記検知部４に設けられた押圧部１７が矢印３０方向に揺動する。
【００４６】
すると、押圧部１７がほぼ当接状態にある感知スイッチ１８を押圧することとなる。
【００４７】
そして、感知スイッチ１８が作動しブザー１４が鳴動することになるのである。
【００４８】
感知スイッチ１８が検知部４により押圧されると、リレー１２が作動し、リレー接点１３がＯＮとなる。
【００４９】
これによりブザー１４が鳴動し、前記バール１０などでドア１をこじ開けようとする侵入者はその鳴動音によりドア１のこじ開け作業を中断せざるを得なくなるのである。
【００５０】
ここで、前記ブザー１４の鳴動を停止する場合には、停止スイッチ１５を押圧すること、既に述べた実施例の場合と同様である。
【００５１】
ところで、図１に示す本考案の実施例ではドアスライド検知部材２を必要とせず、装置の構成が簡単とされているが、感知スイッチ８をドア枠９の内框部２０で押圧しなければならないため、前記内框部２０は平板な面で構成されていることが必要とされる。
【００５２】
しかしながら、ドア枠９の種類そして形状は様々であり、図１に示すドア枠９は一般ＳＤ枠、図７に示すドア枠９は耐震枠、図８に示すドア枠９はアルミ枠Ｂタイプ、図９に示すドア枠９はアルミ枠Ａタイプである。
【００５３】
しかるにアルミ枠Ｂタイプ、アルミ枠Ａタイプのように内框部２０が平面として形成されていないときには、平板状の部材２２を取り付け、内框部２０を平面状にしておく必要がある。その状態を図７、図８、図９に各々示す。
【００５４】
つぎに、図６には遅延リレー２５を使用した場合の警報装置本体５の内部状態を示した図である。ここで、符号２６及び２７は各々遅延リレーの接点を示す。
【００５５】
図６に示す遅延リレー２５を使用した場合には、ブザー１４を鳴動させた後、任意の設定時間後に、停止スイッチ１５を押さずとも前記ブザー１４の鳴動を停止させることが出来るものとなる。  
【図面の簡単な説明】
【００５６】
【図１】本考案の構成を説明する構成説明図（その１）である。
【００５７】
【図２】本考案による警報装置本体の構成を説明する構成説明図（その１）である。
【００５８】
【図３】本考案の構成を説明する構成説明図（その２）である。
【００５９】
【図４】本考案の構成を説明する構成説明図（その３）である。
【００６０】
【図５】本考案の構成を説明する構成説明図（その４）である。
【００６１】
【図６】本考案による警報装置本体の構成を説明する構成説明図（その２）である。
【００６２】
【図７】本考案の構成を説明する構成説明図（その５）である。
【００６３】
【図８】本考案の構成を説明する構成説明図（その６）である。
【００６４】
【図９】本考案の構成を説明する構成説明図（その７）である。
【００６５】
【図１０】警報装置本体の外観を示す説明図（その１）である。
【００６６】
【図１１】警報装置本体の外観を示す説明図（その２）である。
【００６７】
【図１２】図４、図５に示す警報装置本体の内部構成を示す説明図である。
【符号の説明】
【００６８】
１    ドア
２    ドアスライド検知部材
３    取付部
４    検知部
５    警報装置本体
６    切欠部
７    切欠部の側壁
８    感知スイッチ
９    ドア枠
１０    バール
１１    ドア錠
１２    リレー
１３    リレー接点
１４    ブザー
１５    停止スイッチ
１６    押圧部
１７    押圧部
１８    感知スイッチ
１９    回動部材
２０    ドア枠の内框部
２１    電源
２２    平板状の部材
２３    非常用スイッチ
２４    間隔保持シート
２５    遅延リレー
２６    遅延リレーの接点
２７    遅延リレーの接点
３０    矢印
【図１】
0003109392.tif 000003
【図２】
0003109392.tif 000004
【図３】
0003109392.tif 000005
【図４】
0003109392.tif 000006
【図５】
0003109392.tif 000007
【図６】
0003109392.tif 000008
【図７】
0003109392.tif 000009
【図８】
0003109392.tif 000010
【図９】
0003109392.tif 000011
【図１０】
0003109392.tif 000012
【図１１】
0003109392.tif 000013
【図１２】
0003109392.tif 000014